(57)【要約】【課題】長年の使用によっても放射線の遮蔽性が低下しにくい放射線遮蔽シートを提供する。【解決手段】弾性材料２９に多数の金属粒子２２を分散させた金属粒子含有層２と、金属繊維３３で構成される金属繊維層３とを備える放射線遮蔽シート１である。金属粒子含有層２の金属粒子２２は、金属繊維層３の金属繊維３３で形成される隙間４から抜けない粒径を有する。【選択図】図５
2018096765.tif 000002
【特許請求の範囲】
【請求項１】
弾性材料に多数の金属粒子を分散させた金属粒子含有層と、金属繊維で構成される金属繊維層とを備える放射線遮蔽シートであって、
金属粒子含有層の金属粒子が、金属繊維層の金属繊維で形成される隙間から抜けない粒径を有することを特徴とする放射線遮蔽シート。
【請求項２】
金属粒子含有層の金属粒子が、中心部および外周部からなるコアシェル構造であり、
上記外周部が、上記中心部よりも比重の小さい金属で構成されることを特徴とする請求項１に記載の放射線遮蔽シート。
【請求項３】
金属繊維層が、長手方向および短手方向を有するとともに、金属繊維を長手方向および短手方向で織り込んだものであり、
長手方向で隣り合う金属繊維の隙間が、短手方向で隣り合う金属繊維の隙間よりも大きいことを特徴とする請求項１または２に記載の放射線遮蔽シート。
【請求項４】
金属粒子含有層の多数の金属粒子が、重金属で構成される重金属粒子と、重金属粒子よりも比重の小さい金属で構成される軽金属粒子とからなることを特徴とする請求項１乃至３のいずれか一項に記載の放射線遮蔽シート。
【請求項５】
金属繊維層が、最も金属粒子含有層側の第一金属繊維面と、この第一金属繊維面に次いで金属粒子含有層側の第二金属繊維面とを有し、
金属粒子含有層の金属粒子が、上記第一金属繊維面と第二金属繊維面との隙間よりも大きな粒径を有することを特徴とする請求項１乃至４のいずれか一項に記載の放射線遮蔽シート。
【請求項６】
金属粒子含有層が、その多数の金属粒子を金属繊維層に近いほど密に含有するものであることを特徴とする請求項１乃至５のいずれか一項に記載の放射線遮蔽シート。
【請求項７】
金属粒子含有層に接して配置されて金属繊維層の反対側に位置する弾性層を備えることを特徴とする請求項１乃至６のいずれか一項に記載の放射線遮蔽シート。
【発明の詳細な説明】
【技術分野】
【０００１】
本発明は、放射線遮蔽シートに関するものである。
【背景技術】
【０００２】
放射線遮蔽シートは、生物にとって有害な放射線を遮蔽するので、被曝を防ぐものとして広く使用されている。近年では、放射線が工業、農業および医療などの様々な分野で利用されているので、放射線遮蔽シートも様々な分野で使用されている。
【０００３】
放射線遮蔽シートは、剛体である放射線遮蔽板と異なり、可撓性を有するので、曲げての使用が可能であるなど、様々な態様で使用可能な材料である。このため、被曝の恐れがある環境での作業者の防護服などにも、放射線遮蔽シートが使用される。例えば、特許文献１には、Ｘ線（放射線の一種である）透視検査装置を取り扱う医療従事者が着用する、Ｘ線保護材（放射線遮蔽シート）が提案されている。この放射線遮蔽シートは、鉛を用いた場合と同等の性能を担保しつつ、さらなる軽量化を可能にしている。
【先行技術文献】
【特許文献】
【０００４】
【特許文献１】特開２０１６−１１９１３号公報
【発明の概要】
【発明が解決しようとする課題】
【０００５】
ところで、上記特許文献１に記載の放射線遮蔽シートは、上記特許文献の段落［００４７］および［００３１］に記載されているように、第一の層としての金属繊維層と、第二の層としての重金属粒子（第二の元素を含む微粒子）を含有する層とを備える。ここで、上記特許文献１の段落［００２０］に記載されているように、上記放射線遮蔽シートは、１〜８０ｋｅＶの範囲の低エネルギーの放射線（Ｘ線）からの保護を目的としているので、含有する重金属粒子がそれほど多数でなくても足りる。
【０００６】
しかしながら、低エネルギー以外の放射線も遮蔽するような放射線遮蔽シートでは、多数の重金属粒子を含有する必要がある。このような放射線遮蔽シートだと、第一の層である金属繊維層の構成次第では、長年の使用によって一部の重金属粒子が第一の層（金属繊維層）に脱落することにより、放射線の遮蔽性が低下することになる。
【０００７】
そこで、本発明は、長年の使用によっても放射線の遮蔽性が低下しにくい放射線遮蔽シートを提供することを目的とする。
【課題を解決するための手段】
【０００８】
上記課題を解決するため、第１の発明に係る放射線遮蔽シートは、弾性材料に多数の金属粒子を分散させた金属粒子含有層と、金属繊維で構成される金属繊維層とを備える放射線遮蔽シートであって、
金属粒子含有層の金属粒子が、金属繊維層の金属繊維で形成される隙間から抜けない粒径を有するものである。
【０００９】
また、第２の発明に係る放射線遮蔽シートは、第１の発明に係る放射線遮蔽シートにおける金属粒子含有層の金属粒子が、中心部および外周部からなるコアシェル構造であり、
上記外周部が、上記中心部よりも比重の小さい金属で構成されるものである。
【００１０】
さらに、第３の発明に係る放射線遮蔽シートは、第２の発明に係る放射線遮蔽シートにおける金属繊維層が、長手方向および短手方向を有するとともに、金属繊維を長手方向および短手方向で織り込んだものであり、
長手方向で隣り合う金属繊維の隙間が、短手方向で隣り合う金属繊維の隙間よりも大きいものである。
【００１１】
加えて、第４の発明に係る放射線遮蔽シートは、第１乃至第３のいずれかの発明に係る放射線遮蔽シートにおける金属粒子含有層の多数の金属粒子が、重金属で構成される重金属粒子と、重金属粒子よりも比重の小さい金属で構成される軽金属粒子とからなるものである。
【００１２】
また、第５の発明に係る放射線遮蔽シートは、第１乃至第４のいずれかの発明に係る放射線遮蔽シートにおける金属繊維層が、最も金属粒子含有層側の第一金属繊維面と、この第一金属繊維面に次いで金属粒子含有層側の第二金属繊維面とを有し、
金属粒子含有層の金属粒子が、上記第一金属繊維面と第二金属繊維面との隙間よりも大きな粒径を有するものである。
【００１３】
また、第６の発明に係る放射線遮蔽シートは、第１乃至第５のいずれかの発明に係る放射線遮蔽シートにおける金属粒子含有層が、その多数の金属粒子を金属繊維層に近いほど密に含有するものである。
【００１４】
また、第７の発明に係る放射線遮蔽シートは、第１乃至第６のいずれかの発明に係る放射線遮蔽シートにおいて、金属粒子含有層に接して配置されて金属繊維層の反対側に位置する弾性層を備えるものである。
【発明の効果】
【００１５】
上記放射線遮蔽シートによると、金属粒子含有層の金属粒子が金属繊維層に脱落しにくいので、長年の使用によっても、多数の金属粒子が金属粒子含有層に維持されたままであるから、放射線の遮蔽性が低下しにくくなる。
【図面の簡単な説明】
【００１６】
【図１】本発明の実施の形態に係る放射線遮蔽シートの概略斜視図である。
【図２】同放射線遮蔽シートの分解斜視図である。
【図３】本発明の実施例１に係る放射線遮蔽シートの金属粒子および金属繊維の関係を模式的に示す拡大平面図である。
【図４】本発明の実施例２に係る放射線遮蔽シートの金属粒子および金属繊維の関係を模式的に示す拡大平面図である。
【図５】本発明の実施例３に係る放射線遮蔽シートの概略斜視図とその金属粒子および金属繊維の関係を模式的に示す拡大平面図とを組み合わせた図である。
【図６】本発明の実施例４に係る放射線遮蔽シートの拡大側面図である。
【図７】本発明の実施例５に係る放射線遮蔽シートの拡大側面図である。
【図８】本発明の実施例６に係る放射線遮蔽シートの拡大側面図である。
【図９】本発明の実施例７に係る放射線遮蔽シートの拡大側面図である。
【発明を実施するための形態】
【００１７】
以下、本発明の実施の形態に係る放射線遮蔽シートについて図面に基づき説明する。
【００１８】
この放射線遮蔽シートは、図１および図２に示すように、弾性材料２９に多数の金属粒子２２を分散させた金属粒子含有層２と、金属繊維３３で構成される金属繊維層３とを備える。また、上記放射線遮蔽シート１は、金属粒子含有層２に接して配置されて金属繊維層３の反対側に位置する弾性層９を、必須の構成ではないが備える。ここで、弾性材料２９とは、樹脂またはゴムなどの弾性を有する材料である。また、上記弾性層９は、弾性を有する材料からなる層（例えば、樹脂層またはゴム層など）である。
【００１９】
上記金属繊維層３は、その構成される金属繊維３３により、放射線Ｉを吸収するとともに、単体では自立性がない金属粒子含有層２に自立性を担保させるものである。上記金属粒子含有層２は、その弾性材料２９により、単体では可撓性がない金属繊維層３に可撓性を担保させ、上記多数の金属粒子２２により、金属繊維層３で吸収し切れなかった放射線Ｉを吸収するものである。このため、上記放射線遮蔽シート１は、図１に示すように、放射線Ｉの発生源Ｒに金属繊維層３を向けて使用される。なお、上記弾性層９は、金属粒子含有層２を密閉して保護するものである。
【００２０】
上記金属粒子含有層２の厚さ、および当該金属粒子含有層２に含有させる金属粒子２２の量は、当該金属繊維層３で遮蔽する放射線Ｉの種類および遮蔽する程度により決定される。例えば、放射線Ｉの種類（Ｘ線または電子線など）が定まると、その放射線Ｉを遮蔽する程度に必要な仮想の金属板（上記金属粒子２２と同じ金属で形成される板）の板厚を、公知の式などで算出する。この仮想の金属板の板厚に基づいて、所定の換算式により、上記金属粒子含有層２の単位面積当たりの必要な重量が算出される。この金属粒子含有層２の単位面積当たりの必要な重量に基づいて、当該金属粒子含有層２の厚さ、および当該金属粒子含有層２に含有させる金属粒子２２の量が決定される。
【００２１】
以下、本発明の要旨である金属粒子２２と金属繊維３３との関係について説明する。
【００２２】
上記金属繊維層３は、図２に詳しく示すように、金属繊維３３で構成されるので、隣り合う金属繊維３３により形成される多数の隙間４を有する。当該隙間４は、金属粒子含有層２の金属粒子２２が金属繊維層３に脱落する原因とならないようにされる。言い換えれば、上記金属粒子２２は、上記隙間４から抜けない粒径を有する。ここで、上記隙間４の形状は様々な態様があるので、金属粒子２２の粒径と隙間４との具体的な関係は、「金属粒子２２は、隙間４から抜けない粒径を有する」以外に表現し難いが、いくつかの例示をすることは可能である。例えば、上記隙間４が矩形であれば、上記金属粒子２２の粒径は当該隙間４の短辺よりも大きく、上記隙間４が円形であれば、上記金属粒子２２の粒径は当該隙間４の内径よりも大きく、上記隙間４が楕円形であれば、上記金属粒子２２の粒径は当該隙間４の短径よりも大きい。
【００２３】
次に、上記放射線遮蔽シート１を構成する材料について説明する。
【００２４】
上記金属粒子含有層２の弾性材料２９および弾性層９の材料は、例えば、塩化ビニル、ポリスチレン、ポリウレタン、ポリプロピレン、ポリエチレン、ポリカーボネート、ＰＥＴなどの合成樹脂、アクリル、ウレタン、ブチル、シリコン、ニトリルなどの合成ゴムもしくは天然ゴムなどの単体、またはこれらのうち２種以上の混合体である。上記金属粒子含有層２の弾性材料２９と上記弾性層９の材料とは、同一でなくてもよい。
【００２５】
上記金属粒子２２は、例えば、鉛、タングステン、金、白金、タンタル、錫、モリブデン、亜鉛、銅、ニッケル、コバルト、鉄、クロム、チタンもしくはアルミニウムなどの金属の単体、またはこれらのうち２種以上の混合体である。
【００２６】
上記金属繊維３３は、金属の繊維であれば材料は問わないが、長年の使用に耐え得るためにも、ステンレスなど耐食性を有する金属が好ましい。
【００２７】
以下、上記放射線遮蔽シート１の機能について説明する。
【００２８】
この放射線遮蔽シート１は、図１に示すように、金属繊維層３を放射線Ｉの発生源Ｒに向けて配置される。発生源Ｒからの放射線Ｉは、図２に示すように、大部分が金属繊維層３の金属繊維３３に吸収されるとともに、残りが金属粒子含有層２の金属粒子２２に吸収されるので、放射線遮蔽シート１により遮蔽されることになる。
【００２９】
金属粒子含有層２が含有する多数の金属粒子２２は、金属繊維３３の隙間４から抜けないので、金属繊維層３に脱落しにくくなる。すなわち、長年の使用によっても、多数の金属粒子２２は、金属粒子含有層２に維持されたままとなる。
【００３０】
以下、上記放射線遮蔽シート１の製造方法について説明する。
【００３１】
金属繊維３３を織り込むなどして金属繊維層３を作製し、または、市販品の金属繊維層３（例えば、日本精線株式会社製のステンレス鋼繊維など）を入手する。一方で、樹脂液など弾性材料２９の溶液に多数の金属粒子２２を分散させておく。その後、この溶液を金属繊維層３の一方の面に塗布する。金属繊維層３に塗布された溶液は、所定時間置かれることで固まって金属粒子含有層２となる。すなわち、金属繊維層３および金属粒子含有層２を備える放射線遮蔽シート１が製造される。ここで、溶液が固まるまでの間、溶液に分散させた多数の金属粒子２２は、特に移動しやすい状態ではあるものの、金属繊維３３の隙間４から抜けないので、金属繊維層３に脱落しにくくなる。なお、必要に応じて、金属粒子含有層２における金属繊維層３の反対側に位置する面に、弾性を有する材料の別途の溶液（金属粒子２２を含有しない）を塗布した後に所定時間置いて、弾性層９を形成してもよい。
【００３２】
このように、上記放射線遮蔽シート１によると、金属粒子含有層２の金属粒子２２が金属繊維層３に脱落しにくいので、長年の使用によっても、多数の金属粒子２２が金属粒子含有層２に維持されたままであるから、放射線Ｉの遮蔽性が低下しにくくなる。
【００３３】
以下、上記実施の形態をより具体的に示した実施例１〜７に係る放射線遮蔽シート１について図面に基づき説明する。なお、以下において、上記実施の形態と同一の構成については、同一の符号を付してその説明を省略する。
【実施例１】
【００３４】
本実施例１に係る放射線遮蔽シート１の金属繊維層３は、図３に示すように、平面視で、金属繊維３３の隙間４が矩形となるように織り込まれたものである。すなわち、上記金属繊維層３は、金属繊維３３が経方向および緯方向で交差するものとなる。
【００３５】
一方で、本実施例１に係る放射線遮蔽シート１の金属粒子２２は、図３に示すように、金属繊維３３の隙間４における経方向および緯方向のいずれの幅よりも大きな粒径を有する。このため、金属粒子２２は金属繊維層３に脱落しにくくなる。
【００３６】
このように、本実施例１に係る放射線遮蔽シート１によると、金属粒子含有層２の金属粒子２２が金属繊維層３に脱落しにくいので、長年の使用によっても、多数の金属粒子２２が金属粒子含有層２に維持されたままであるから、放射線Ｉの遮蔽性が低下しにくくなる。
【実施例２】
【００３７】
本実施例２に係る放射線遮蔽シート１の金属繊維層３は、上記実施例１に係る金属繊維層３と同様に、図４に示すように、平面視で、金属繊維３３の隙間４が矩形となるように織り込まれたものである。すなわち、上記金属繊維層３は、金属繊維３３が経方向および緯方向で交差するものとなる。
【００３８】
一方で、本実施例２に係る放射線遮蔽シート１の金属粒子２２は、図４に示すように、中心部２０および外周部２１からなるコアシェル構造である。この外周部２１は、上記中心部２０よりも比重の小さい金属で構成される。このため、金属繊維３３の隙間４が大きくなっても、それほど重量を増やさずに、金属粒子２２の粒径を金属繊維３３の隙間４における経方向および緯方向のいずれの幅よりも大きくすることが可能である。したがって、本実施例２では、上記実施例１に比べて、金属粒子２２の比重が小さくなるので、金属粒子２２が弾性材料２９の中で移動しにくく、結果として金属粒子２２は金属繊維層３に一層脱落しにくくなる。
【００３９】
このように、本実施例２に係る放射線遮蔽シート１によると、金属粒子含有層２の金属粒子２２が金属繊維層３に一層脱落しにくいので、長年の使用によっても、多数の金属粒子２２が金属粒子含有層２に十分に維持されたままであるから、放射線Ｉの遮蔽性が一層低下しにくくなる。
【実施例３】
【００４０】
本実施例３に係る放射線遮蔽シート１およびその金属繊維層３は、図５に示すように、矩形状であって、長手方向および短手方向を有する。上記放射線遮蔽シート１は、矩形状で可撓性を有するシートに共通する特徴として、長手方向に曲がりやすく、長手方向に曲げて使用されやすい。
【００４１】
上記金属繊維層３は、図５に示すように、金属繊維３３の隙間４が矩形となるように織り込まれたものである。すなわち、上記金属繊維層３は、金属繊維３３が経方向および緯方向で交差するものとなる。ここで、経方向（または緯方向）を上記長手方向になるようにし、緯方向（または経方向）を上記短手方向になるようにする。さらに、長手方向で隣り合う金属繊維３３の隙間４が、短手方向で隣り合う金属繊維３３の隙間４よりも大きくなるようにする。長手方向で隣り合う金属繊維３３の隙間４が大きいことにより、上記放射線遮蔽シート１は長手方向にさらに曲がりやすくなる。
【００４２】
一方で、本実施例３に係る放射線遮蔽シート１の金属粒子２２は、図５に示すように、金属繊維３３の隙間４における少なくとも短手方向の幅よりも大きな粒径を有する。このため、金属粒子２２は金属繊維層３に脱落しにくくなる。
【００４３】
このように、本実施例３に係る放射線遮蔽シート１によると、金属粒子含有層２の金属粒子２２が金属繊維層３に脱落しにくいので、長年の使用によっても、多数の金属粒子２２が金属粒子含有層２に維持されたままであるから、放射線Ｉの遮蔽性が低下しにくくなる。また、上記放射線遮蔽シート１は長手方向にさらに曲がりやすくなるので、さらに様々な態様で使用することができる。
【実施例４】
【００４４】
本実施例４に係る放射線遮蔽シート１の金属粒子含有層２は、図６に示すように、含有する多数の金属粒子２２が、重金属で構成される重金属粒子２５と、重金属粒子２５よりも比重の小さい金属で構成される軽金属粒子２６とからなる。少なくとも軽金属粒子２６は、金属繊維３３の隙間４よりも大きな粒径を有する。このため、金属粒子含有層２に維持される軽金属粒子２６が妨げとなって、重金属粒子２５が上記隙間４よりも小さな粒径であっても金属繊維層３に脱落しにくくなる。
【００４５】
このように、本実施例４に係る放射線遮蔽シート１によると、金属粒子含有層２の金属粒子２２（重金属粒子２５および軽金属粒子２６）が金属繊維層３に脱落しにくいので、長年の使用によっても、多数の金属粒子２２が金属粒子含有層２に維持されたままであるから、放射線Ｉの遮蔽性が低下しにくくなる。また、多数の金属粒子２２の一部が軽金属粒子２６であるとともに、上記重金属粒子２５として粒径の小さなものが採用され得るので、放射線遮蔽シート１の重量が軽減されることにより、さらに様々な態様で使用することができる。
【実施例５】
【００４６】
本実施例５に係る放射線遮蔽シート１の金属繊維層３は、図７に示すように、金属繊維面４１〜４５を層厚方向に複数（図７では一例として５つ）有する。各金属繊維面４１〜４５は並列に配置された直線状の金属繊維３３から構成され、層厚方向に隣り合う金属繊維面では金属繊維３３の向きが直交する。ここで、図７に示すように、最も金属粒子含有層２側の金属繊維面４１を第一金属繊維面４１、次いで金属粒子含有層２側の金属繊維面４２を第二金属繊維面４２とすれば、金属粒子含有層２の金属粒子２２は、上記第一金属繊維面４１と第二金属繊維面４２との隙間４よりも大きな粒径を有する。このため、金属粒子２２は第二金属繊維面４２よりも奥に脱落しにくくなる。
【００４７】
このため、金属繊維層３では、各金属繊維面４１〜４５での直線状の隣り合う金属繊維３３の隙間４を大きくすることが可能であり、層厚方向に隣り合う金属繊維面の隙間（第一金属繊維面４１と第二金属繊維面４２との隙間４を除く）も大きくすることが可能であるから、上記放射線遮蔽シート１はさらに曲がりやすくなる。
【００４８】
このように、本実施例５に係る放射線遮蔽シート１によると、金属粒子含有層２の金属粒子２２が金属繊維層３に脱落しにくいので、長年の使用によっても、多数の金属粒子２２が金属粒子含有層２に維持されたままであるから、放射線Ｉの遮蔽性が低下しにくくなる。また、上記放射線遮蔽シート１はさらに曲がりやすくなるので、さらに様々な態様で使用することができる。
【実施例６】
【００４９】
本実施例６に係る放射線遮蔽シート１の金属繊維層３は、図８に示すように、第一金属繊維面４１での直線状の隣り合う金属繊維３３の隙間４を、金属粒子２２の粒径よりも小さくしたものである。言い換えれば、上記金属粒子２２は、第一金属繊維面４１での直線状の隣り合う金属繊維３３の隙間４よりも大きな粒径を有する。
【００５０】
このため、金属繊維層３では、各金属繊維面４２〜４５（第一金属繊維面４１を除く）での直線状の隣り合う金属繊維３３の隙間を大きくすることが可能であり、層厚方向に隣り合う金属繊維面４１〜４５の隙間も大きくすることが可能であるから、上記放射線遮蔽シート１はさらに曲がりやすくなる。
【００５１】
このように、本実施例６に係る放射線遮蔽シート１によると、金属粒子含有層２の金属粒子２２が金属繊維層３に脱落しにくいので、長年の使用によっても、多数の金属粒子２２が金属粒子含有層２に維持されたままであるから、放射線Ｉの遮蔽性が低下しにくくなる。また、上記放射線遮蔽シート１はさらに曲がりやすくなるので、さらに様々な態様で使用することができる。
【実施例７】
【００５２】
本実施例７に係る放射線遮蔽シート１の金属粒子含有層２は、図９示すように、その多数の金属粒子２２を金属繊維層３に近いほど密に含有する。一般に、金属粒子含有層の弾性材料は、金属繊維層に近い部分ほど、金属繊維層で吸収されなかった放射線により劣化しやすい。しかしながら、本実施例７に係る金属粒子含有層２は、金属繊維層３に近いほど密に金属粒子２２を含有するので、金属繊維層３で吸収されなかった放射線Ｉが金属粒子含有層２の金属繊維層３側で十分に吸収され、その結果、弾性材料２９が劣化しにくくなる。
【００５３】
本実施例７に係る放射線遮蔽シート１の製造方法では、上記実施の形態に係る放射線遮蔽シート１の製造方法において、金属繊維層３に塗布された溶液を所定時間置く際に、金属繊維層３側を下（塗布された溶液側を上）にしておく。こうすることで、溶液に分散させた多数の金属粒子２２が自重により金属繊維層３に近いほど密（金属繊維層３から遠いほど粗）になる。ここで、上記所定時間は、金属粒子含有層２において金属粒子２２を層厚方向でどの程度に粗密にするかによって決定される。
【００５４】
このように、本実施例７に係る放射線遮蔽シート１によると、上記実施例１に係る放射線遮蔽シート１の効果に加えて、長年の使用によっても、弾性材料２９が劣化しにくくなるので、放射線Ｉの遮蔽性が一層低下しにくくなる。
【００５５】
ところで、上記実施の形態および実施例１〜７では、弾性層９（弾性層９を備えない場合は金属粒子含有層２）の表面について詳しく説明しなかったが、この表面を蛇腹形状にしてもよい。この表面が蛇腹形状であることにより、上記放射線遮蔽シート１はさらに曲がりやすくなるので、さらに様々な態様で使用することができる。
【００５６】
また、上記実施の形態および実施例１〜７では、金属繊維層３を構成する金属繊維３３について説明したが、放射線Ｉを遮蔽する繊維であれば、金属以外の繊維であってもよい。
【００５７】
さらに、上記実施の形態および実施例１〜７では、金属粒子含有層２が含有する金属粒子２２について説明したが、放射線Ｉを遮蔽するものであれば、金属以外の物であってもよい。
【００５８】
加えて、上記実施の形態および実施例１〜７では、金属粒子２２が隙間４（の短辺、内径、短径または幅）よりも大きいとして説明したが、好ましくは、金属粒子２２が隙間４（の短辺、内径、短径または幅）よりも数倍以上大きい。このように数倍以上（例えば２倍以上）とすることで、金属粒子含有層２の金属粒子２２が金属繊維層３に一層脱落しにくいので、長年の使用によっても、多数の金属粒子２２が金属粒子含有層２に十分に維持されたままであるから、放射線Ｉの遮蔽性が一層低下しにくくなる。
【００５９】
また、上記実施の形態および実施例１〜７では、弾性層９は必須の構成でないとして説明したが、弾性層９を備えることにより、さらなる効果を奏することになる。すなわち、弾性層９を備える放射線遮蔽シート１は、金属粒子含有層２が弾性層９に密閉されて保護されることから、長年の使用によっても、金属粒子含有層２が劣化しにくくなるので、放射線Ｉの遮蔽性が一層低下しにくくなる。
【００６０】
さらに、上記実施例１〜７で説明した構成のうち、上記実施の形態で説明した構成以外については、任意の構成であり、適宜削除および変更することが可能である。
【符号の説明】
【００６１】
Ｉ  放射線
Ｒ  放射線の発生源
１  放射線遮蔽シート
２  金属粒子含有層
３  金属繊維層
４  隙間
９  弾性層
２０  中心部
２１  外周部
２２  金属粒子
２５  重金属粒子
２６  軽金属粒子
２９  弾性材料
３３  金属繊維
４１  第一金属繊維面
４２  第二金属繊維面
【図１】
2018096765.tif 000003
【図２】
2018096765.tif 000004
【図３】
2018096765.tif 000005
【図４】
2018096765.tif 000006
【図５】
2018096765.tif 000007
【図６】
2018096765.tif 000008
【図７】
2018096765.tif 000009
【図８】
2018096765.tif 000010
【図９】
2018096765.tif 000011